(57)【要約】【課題】利用者の状況に応じた視点に対して適した情報を表示することにより、利用者は、確認したい情報の適切な取得を図ること。【解決手段】複数の視点ごとに異なる情報を表示できる表示部１０３を備えた表示制御装置１００において、取得部１０１は、複数の視点ごとに表示対象となる表示情報をそれぞれ取得する。そして、表示制御部１０２は、取得部１０１によって取得された表示情報を、複数の視点ごとに異なる情報として表示部１０３に表示する。【選択図】図１
2008020585.tif 000002
【特許請求の範囲】
【請求項１】
複数の視点ごとに異なる情報を表示できる表示部を備えた表示制御装置において、
前記複数の視点ごとに表示対象となる表示情報をそれぞれ取得する取得手段と、
前記取得手段によって取得された表示情報を、前記複数の視点ごとに異なる情報として表示部に表示する表示制御手段と、
を備えることを特徴とする表示制御装置。
【請求項２】
前記取得手段は、
前記表示部を確認する利用者の進行方向によって異なる前記複数の視点ごとにそれぞれ適した表示情報を取得することを特徴とする請求項１に記載の表示制御装置。
【請求項３】
前記取得手段は、
前記表示部と当該表示部を確認する利用者との距離によって異なる前記複数の視点ごとにそれぞれ適した表示情報を取得することを特徴とする請求項１または２に記載の表示制御装置。
【請求項４】
前記取得手段は、
前記表示部を確認する利用者の身長差によって異なる前記複数の視点ごとにそれぞれ適した表示情報を取得することを特徴とする請求項１〜３のいずれか一つに記載の表示制御装置。
【請求項５】
複数の視点ごとに異なる情報を表示部に表示させる表示制御方法において、
前記複数の視点ごとに表示対象となる表示情報をそれぞれ取得する取得工程と、
前記取得工程によって取得された表示情報を、前記複数の視点ごとに異なる情報として表示部に表示する表示制御工程と、
を含むことを特徴とする表示制御方法。
【請求項６】
請求項５に記載の表示制御方法をコンピュータに実行させることを特徴とする表示制御プログラム。
【請求項７】
請求項６に記載の表示制御プログラムを記録したことを特徴とするコンピュータに読み取り可能な記録媒体。
【発明の詳細な説明】
【技術分野】
【０００１】
この発明は、映像を表示する表示制御装置、表示制御方法、表示制御プログラムおよびコンピュータに読み取り可能な記録媒体に関する。ただし、この発明の利用は、上述した表示制御装置、表示制御方法、表示制御プログラムおよびコンピュータに読み取り可能な記録媒体には限られない。
【背景技術】
【０００２】
従来より、公共の施設に設置され、イベントの開催予定、内容、会場案内などを利用者にディスプレイを用いて報知する電子掲示板がある。近年では、一日の中で時々刻々と変更されるイベントに関して、イベント案内とマルチメディアイベントガイドとを同一ディスプレイに表示出力し、両者をリンクするとともに、利用者にインタラクティブな操作環境を提供する電子掲示板システムの提案がされている（たとえば、下記特許文献１参照。）。
【０００３】
【特許文献１】特開平１０−２５４４２０号公報
【発明の開示】
【発明が解決しようとする課題】
【０００４】
しかしながら、上記従来技術では、利用者は、利用者の状況に応じて複数のイベント情報のうち一部のイベント情報について必要となることがある。このとき、同一ディスプレイ上に複数のイベント情報をまとめて表示する場合、利用者は、不必要な情報が表示されているため、確認したい情報の取得が困難であり、かつ、情報の誤認を誘発するという問題が一例として挙げられる。
【０００５】
また、同一ディスプレイ上に複数のイベント情報を所定間隔で切り替えて表示した場合、利用者は、所望のイベント情報が表示されるまで待たねばならないという問題が一例として挙げられる。さらに、同一ディスプレイを複数に分割して複数のイベント情報を表示する場合、利用者は、確認したい情報の表示が小さくなり確認しづらいという問題が一例として挙げられる。
【０００６】
また、複数のイベント情報ごとにディスプレイを複数設置してそれぞれ表示する場合、ディスプレイの設置に関して高コストに繋がるという問題が一例として挙げられる。
【課題を解決するための手段】
【０００７】
上述した課題を解決し、目的を達成するため、請求項１の発明にかかる表示制御装置は、複数の視点ごとに異なる情報を表示できる表示部を備えた表示制御装置において、前記複数の視点ごとに表示対象となる表示情報をそれぞれ取得する取得手段と、前記取得手段によって取得された表示情報を、前記複数の視点ごとに異なる情報として表示部に表示する表示制御手段と、を備えることを特徴とする。
【０００８】
また、請求項５の発明にかかる表示制御方法は、複数の視点ごとに異なる情報を表示部に表示させる表示制御方法において、前記複数の視点ごとに表示対象となる表示情報をそれぞれ取得する取得工程と、前記取得工程によって取得された表示情報を、前記複数の視点ごとに異なる情報として表示部に表示する表示制御工程と、を含むことを特徴とする。
【０００９】
また、請求項６の発明にかかる表示制御プログラムは、請求項５に記載の表示制御方法をコンピュータに実行させることを特徴とする。
【００１０】
また、請求項７の発明にかかるコンピュータに読み取り可能な記録媒体は、請求項６に記載の表示制御プログラムを記録したことを特徴とする。
【発明を実施するための最良の形態】
【００１１】
以下に添付図面を参照して、この発明にかかる表示制御装置、表示制御方法、表示制御プログラムおよびコンピュータに読み取り可能な記録媒体の好適な実施の形態を詳細に説明する。
【００１２】
（実施の形態）
（表示制御装置の機能的構成）
図１を用いて、本実施の形態にかかる表示制御装置の機能的構成について説明する。図１は、本実施の形態にかかる表示制御装置の機能的構成の一例を示すブロック図である。
【００１３】
図１において、複数の視点ごとに異なる情報を表示できる表示部１０３を備えた表示制御装置１００は、取得部１０１と、表示制御部１０２と、表示部１０３と、から構成されている。
【００１４】
取得部１０１は、複数の視点ごとに表示対象となる表示情報をそれぞれ取得する。複数の視点ごとの表示情報は、たとえば、表示部１０３を確認する利用者の進行方向によって異なる複数の視点ごとにそれぞれ適した情報としてもよい。
【００１５】
また、表示情報は、たとえば、表示部１０３と表示部１０３を確認する利用者との距離によって異なる複数の視点ごとにそれぞれ適した情報や、表示部１０３を確認する利用者の身長差によって異なる複数の視点ごとにそれぞれ適した情報などでもよい。
【００１６】
表示情報の取得は、たとえば、インターネットなどのネットワークを介して、図示しない外部サーバから取得したり、外部サーバからの入力を受け付ける構成としてもよい。
【００１７】
表示制御部１０２は、取得部１０１によって取得された表示情報を、複数の視点ごとに異なる情報として表示部１０３に表示する。具体的には、たとえば、表示情報の表示は、取得部１０１によって取得された複数の視点ごとに適した情報を、複数の視点に対してそれぞれ表示することとしてもよい。
【００１８】
（表示制御装置１００の処理の内容）
つぎに、図２を用いて本実施の形態にかかる表示制御装置１００の処理の内容について説明する。図２は、本実施の形態にかかる表示制御装置の処理の内容を示すフローチャートである。図２のフローチャートにおいて、まず、取得部１０１によって、表示情報を取得したか否かを判断する（ステップＳ２０１）。
【００１９】
ステップＳ２０１において、表示情報を取得するのを待って、取得した場合（ステップＳ２０１：Ｙｅｓ）は、表示制御部１０２によって、表示部１０３に複数の視点ごとに表示情報を表示して（ステップＳ２０２）、一連の処理を終了する。
【００２０】
以上説明したように、本実施の形態によれば、利用者の状況に応じた視点に対して適した情報を表示できるため、利用者は、確認したい情報の適切な取得を図ることができる。
【実施例１】
【００２１】
以下に、本発明の実施例１について説明する。本実施例１では、たとえば、アミューズメントパークなどの施設に設置された施設内案内用の情報掲示装置によって、本発明の表示制御装置を実施した場合の一例について説明する。
【００２２】
（情報掲示装置のハードウェア構成）
まず、図３を用いて、本実施例１にかかる情報掲示装置のハードウェア構成について説明する。図３は、本実施例１にかかる情報掲示装置のハードウェア構成の一例を示すブロック図である。
【００２３】
図３において、情報掲示装置３００は、アミューズメントパークなどの施設内に複数設置されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、を備えている。また、各構成部３０１〜３１３バス３２０によってそれぞれ接続されている。
【００２４】
まず、ＣＰＵ３０１は情報掲示装置３００の全体の制御を司る。ＲＯＭ３０２は、ブートプログラム、表示プログラムなどの各種プログラムを記録している。ＲＡＭ３０３は、ＣＰＵ３０１のワークエリアとして使用される。
【００２５】
表示プログラムは、映像Ｉ／Ｆ３１１を制御して、ディスプレイ３１２に表示する表示画像を切り替えさせる。具体的には、たとえば、後述する通信Ｉ／Ｆ３１３を介して得られた施設内の案内情報を表示させるため、映像Ｉ／Ｆ３１１によってディスプレイ３１２に表示する案内情報の表示形式を決定させ、決定された表示形式によって案内情報をディスプレイ３１２に表示させる。
【００２６】
詳細は、図４および図５を用いて説明するが、案内情報の表示は、たとえば、情報掲示装置３００を確認する利用者の視点に応じて、異なった案内情報を表示させるようにしてもよい。具体的には、たとえば、案内情報の表示は、情報掲示装置３００に表示される案内情報を、上方からの視点で確認する大人と、下方からの視点で確認する子供と、それぞれ異なる案内情報を表示させる。
【００２７】
なお、案内情報は、たとえば、通信Ｉ／Ｆ３１３を介して図示しない外部サーバから上方からの視点用および下方からの視点用の案内情報をそれぞれ受信する構成でもよい。また、通信Ｉ／Ｆ３１３を介して受信された案内情報から、上方からの視点用および下方からの視点用の案内情報をそれぞれ生成させ、表示させることとしてもよい。
【００２８】
また、前述の説明では、案内情報を通信Ｉ／Ｆ３１３を介して受信することとしたが、後述する磁気ディスク３０５や光ディスク３０７に記録されている構成としてもよい。具体的には、たとえば、案内情報は、磁気ディスク３０５や光ディスク３０７に所定の時刻に関連づけて記録しておく。そして、所定の時刻になったら表示プログラムを起動させて、所定の時刻に関連づけられた案内情報をディスプレイ３１２に表示させる構成としてもよい。
【００２９】
このように、利用者の視点に応じて大人用と子供用の案内情報をそれぞれ表示できるため、利用者は、自身に最適な案内情報を取得することができる。くわえて、大人の視点に対しては大人用の案内情報、子供の視点に対しては子供用の案内情報のみをそれぞれ表示できるため、利用者は、不必要な情報に惑わされることがない。
【００３０】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００３１】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００３２】
音声Ｉ／Ｆ３０８は、音声出力用のスピーカ３０９に接続される。スピーカ３０９からは音声が出力される。
【００３３】
入力デバイス３１０は、文字、数値、各種指示などの入力のための複数のキーを備えたリモコン、キーボード、マウス、タッチパネルなどが挙げられ、選択されたキーに対応するデータを装置内部へ入力する。
【００３４】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００３５】
ディスプレイ３１２には、アイコン、カーソル、メニュー、ウインドウ、あるいは文字や画像や案内情報などの各種データが表示される。このディスプレイ３１２は、たとえば、ＣＲＴ、ＴＦＴ液晶ディスプレイ、プラズマディスプレイなどを採用することができる。本実施例１では、概要を図４および図５を用いて説明するが、ディスプレイ３１２は、複数のＬＥＤ（Ｌｉｇｈｔ  Ｅｍｉｔｔｉｎｇ  Ｄｉｏｄｅ）と、導光板と、表示パネルとによって複数の視点に対して文字や画像などの各種データを表示できる構成である。
【００３６】
通信Ｉ／Ｆ３１３は、無線を介してネットワークに接続され、情報掲示装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。通信網は、たとえば、ＬＡＮ、ＷＡＮ、公衆回線網や携帯電話網などであり、通信網を介して図示しない外部サーバなどから案内情報を取得する。
【００３７】
（ディスプレイ３１２による表示の概要）
つぎに、図４を用いて、本実施例１にかかるディスプレイ３１２による表示の概要について説明する。図４は、本実施例１にかかるディスプレイによる表示の概要を示す説明図である。
【００３８】
図４において、ディスプレイ３１２は、ＬＥＤ４０１，４０２と、導光板４０３と、表示パネル４０４と、から構成されており、複数の視点に対して、それぞれ異なる案内情報４２１，４２２を表示する。
【００３９】
ＬＥＤ４０１，４０２は、映像Ｉ／Ｆ３１１からそれぞれの視点に表示するための案内情報に関する画像データ４１１，４１２の入力を受け付けるとともに、光源として導光板４０３に対して画像データ４１１，４１２に応じた光を照射する。
【００４０】
導光板４０３は、ＬＥＤ４０１，４０２から照射された光を反射させることによって、表示パネル４０４に光を照射する。表示パネル４０４は、導光板４０３から照射された光を、それぞれ異なる案内情報４２１，４２２として、利用者の各視点ごとに表示する。
【００４１】
なお、図４の説明では、利用者の各視点ごとに異なる案内情報４２１，４２２を左右に図示しているが、大人と子供の利用者の視点に応じて、上下に異なる案内情報４２１，４２２を表示する構成としてもよい。また、ディスプレイ３１２は、図４を用いて説明した構成に限ることなく、その他、複数の視点ごとに異なる情報を表示できる構成であればよい。
【００４２】
（案内情報の表示の概要）
ここで、図５を用いて、本実施例１にかかる案内情報の表示の概要について説明する。図５は、本実施例１にかかる案内情報の表示の概要を示す説明図である。
【００４３】
図５において、情報掲示装置３００のディスプレイ３１２は、図４に前述した案内情報４２１，４２２として大人用案内情報５１１と、子供用案内情報５１２とを表示している。
【００４４】
大人用案内情報５１１は、たとえば、情報掲示装置３００に対して高い視点である大人５０１が確認するための情報でもよく、施設内の地図情報や混雑状況などを示す情報などでもよい。
【００４５】
子供用案内情報５１２は、たとえば、情報掲示装置３００に対して低い視点である子供５０２が確認するための情報でもよく、施設に関連するキャラクターの動画やお勧めのアトラクションなどを示す情報などでもよい。
【００４６】
また、大人用案内情報５１１は、施設内の情報を漢字を用いて示すのに対して、子供用案内情報５１２は、施設内の情報を平易な平仮名を用いて示すようにしてもよい。
【００４７】
このように、大人５０１は、施設内の地図情報や混雑状況などを示す情報を確認して、最適に施設を利用することができる。また、子供５０２は、施設に関連するキャラクターの動画やお勧めのアトラクションなどを示す情報を確認して、施設を楽しむことができる。
【００４８】
具体的には、たとえば、大人５０１が子供５０２を引率して施設を利用する場合は、大人５０１が施設の情報取得する際、動画などの子供用案内情報５１２によって子供５０２の注意を惹きつけることで、大人５０１は、迅速かつ的確な情報取得を図ることができ、大人５０１および子供５０２の施設の最適な利用に繋がる。
【００４９】
（情報掲示装置３００の処理の内容）
つぎに、図６を用いて、本実施例１にかかる情報掲示装置３００の処理の内容について説明する。図６は、本実施例１にかかる情報掲示装置における処理の内容を示すフローチャートである。図６のフローチャートにおいて、まず、通信Ｉ／Ｆ３１３によって、図示しない外部サーバから、ディスプレイ３１２の表示対象となる情報を取得したか否かを判断する（ステップＳ６０１）。
【００５０】
表示対象となる情報は、たとえば、施設などの案内に関する案内情報などでもよく、ディスプレイ３１２を確認する利用者の視点に応じて異なる情報を取得することとしてもよい。また、表示対象となる情報は、たとえば、磁気ディスク３０５や光ディスク３０７から読み込む構成としてもよい。
【００５１】
ステップＳ６０１において、表示対象となる情報を取得するのを待って、取得した場合（ステップＳ６０１：Ｙｅｓ）は、映像Ｉ／Ｆ３１１によって、表示対象となる情報を高い視点および低い視点に対する情報に振り分ける（ステップＳ６０２）。高い視点および低い視点に対する情報は、たとえば、情報掲示装置３００を確認する利用者が大人５０１である場合についての高い視点に対する大人用案内情報５１１および子供５０２である場合についての低い視点に対する子供用案内情報５１２でもよい。
【００５２】
そして、映像Ｉ／Ｆ３１１の制御にしたがってディスプレイ３１２によって、ステップＳ６０２において振り分けられた情報を、それぞれの視点にあわせて表示して（ステップＳ６０３）、一連の処理を終了する。
【００５３】
なお、ステップＳ６０２において、情報を各視点ごとに振り分ける代わりに、ステップＳ６０１において取得された情報から、各視点ごとの情報を生成する構成としてもよい。より具体的には、たとえば、各視点ごとの情報は、ステップＳ６０１において取得された情報について、漢字を用いた情報を大人用案内情報５１１とし、大人用案内情報５１１における漢字について平易な平仮名を用いた情報として子供用案内情報５１２とする構成でもよい。
【００５４】
以上説明したように、本実施例１によれば、同一のディスプレイによって、情報掲示装置を確認する利用者の身長差に応じて、それぞれ適した情報を表示することができる。したがって、利用者は、不必要な情報に惑わされることなく、自身に最適な情報を取得することができる。
【００５５】
また、利用者の身長差に応じて情報掲示装置を複数設置する必要がないため、施設側では、情報掲示装置の設置に関するコストをかけることなく、身長差のある利用者にそれぞれ適した情報を提供することができる。
【００５６】
なお、本実施例１の説明では、大人と子供の身長差に基づく視点の違いに基づいて、それぞれ異なる大人用案内情報と子供用案内情報とを表示する構成としたが、その他、上下方向に視点が異なる場合に適用できる構成としてもよい。
【００５７】
具体的には、たとえば、上下方向に視点が異なる場合は、車椅子を利用する身障者と、健常者とについて、各視点ごとに異なる情報を表示する場合などである。この場合、異なる情報は、たとえば、トイレの位置に関する案内であれば、身障者用のトイレの案内を低い視点に対して表示したり、スロープなどが整備されている通路を低い視点に対して表示したりすることにより、視点の異なる利用者に適切な情報を提供することとなる。
【実施例２】
【００５８】
つぎに、本発明の実施例２について説明する。本実施例２では、前述の実施例１で説明した施設内に設置された情報掲示装置３００によって案内情報を表示する代わりに、駅構内などに設置された情報掲示装置３００によって電車の運転状況などを含む路線情報を表示する場合について説明する。
【００５９】
なお、実施例１にかかる案内情報を路線情報とすることで、情報掲示装置３００のハードウェア構成については図３、ディスプレイ３１２による表示の概要については図４とほぼ同様であるため説明を省略する。
【００６０】
（路線情報の表示の概要）
ここで、図７を用いて、本実施例２にかかる路線情報の表示の概要について説明する。図７は、本実施例２にかかる路線情報の表示の概要を示す説明図である。
【００６１】
図７において、京葉線７１０と山手線７２０との乗り継ぎが可能な駅に設置された情報掲示装置３００は、利用者７０１，７０２に対して、それぞれ山手線７２０に関する路線情報７１１と、京葉線７１０に関する路線情報７１２と、を表示している。
【００６２】
路線情報７１１，７１２は、たとえば、対象となる路線の混雑状況や事故情報やダイヤ情報などを含む情報である。具体的には、たとえば、路線情報７１１は、山手線７２０のダイヤが乱れている旨を示す情報であったり、路線情報７１２は、京葉線７１０について電車の運転を見合わせている情報であったりしてもよい。
【００６３】
利用者７０１は、たとえば、山手線７２０へ向かっており、山手線７２０の路線情報７１１を確認することができる。換言すれば、利用者７０１は、京葉線７１０の路線情報７１２を必要とはしていない。
【００６４】
同様に、利用者７０２は、たとえば、京葉線７１０へ向かっており、京葉線の路線情報７１２を確認することができる。換言すれば、利用者７０２は、山手線７２０の路線情報７１１を必要とはしていない。
【００６５】
すなわち、本実施例２では、乗り継ぎなど複数の路線が集中している箇所に設定された情報掲示装置３００によって、利用者７０１，７０２の進行方向に応じた視点ごとに異なった路線情報７１１，７１２をそれぞれ表示する構成である。
【００６６】
このように、一つの情報掲示装置３００によって、利用者７０１，７０２の行動の指向性に応じて路線情報７１１，７１２を表示することで、利用者７０１，７０２にとって重要な情報のみを選択して報知することができる。換言すれば、一つの情報掲示装置３００に複数の路線情報７１１，７１２を表示して、利用者７０１，７０２における必要な情報の抽出の負担や誤った情報の取得を防止することができる。また、本実施例２のような構成とすることで、駅の管理者は、複数の利用者７０１，７０２に応じて、複数の情報掲示装置３００を設置するコストの増大を避けることもできる。
【００６７】
（情報掲示装置３００の処理の内容）
つぎに、図８を用いて、本実施例２にかかる情報掲示装置３００の処理の内容について説明する。図８は、本実施例２にかかる情報掲示装置における処理の内容を示すフローチャートである。図８のフローチャートにおいて、まず、通信Ｉ／Ｆ３１３によって、図示しない外部サーバから、表示対象となる路線情報を取得したか否かを判断する（ステップＳ８０１）。
【００６８】
ステップＳ８０１において、路線情報を取得するのを待って、取得した場合（ステップＳ８０１：Ｙｅｓ）は、映像Ｉ／Ｆ３１１の制御にしたがってディスプレイ３１２によって、ステップＳ８０１において取得された路線情報を利用者の進行方向に対して、それぞれ表示する（ステップＳ８０２）。
【００６９】
つぎに、通信Ｉ／Ｆ３１３によって、図示しない外部サーバから、ステップＳ８０１において取得された路線情報とは別の新たな路線情報を取得したか否かを判断する（ステップＳ８０３）。
【００７０】
ステップＳ８０３において、新たな路線情報を取得した場合（ステップＳ８０３：Ｙｅｓ）は、ステップＳ８０２に戻って処理を繰り返す。
【００７１】
また、ステップＳ８０３において、新たな路線情報を取得しない場合（ステップＳ８０３：Ｎｏ）は、ＣＰＵ３０１によって、ステップＳ８０２における表示が所定時間経過したか否かを判断する（ステップＳ８０４）。
【００７２】
ステップＳ８０３における新たな路線情報の取得は、換言すれば、ステップＳ８０１において取得された路線情報に対して、変更された路線情報があるか否かを判断し、変更された路線情報がある場合に、新たな路線情報を取得する構成としてもよい。
【００７３】
ステップＳ８０４において、所定時間経過しない場合（ステップＳ８０４：Ｎｏ）は、ステップＳ８０３に戻って処理を繰り返す。
【００７４】
また、ステップＳ８０４において、所定時間経過した場合（ステップＳ８０４：Ｙｅｓ）は、そのまま一連の処理を終了する。
【００７５】
なお、図８のフローチャートでは説明を省略したが、ステップＳ８０１において路線情報を取得しない場合は、通常の路線情報として、たとえば、「○×線は、通常通り運行中です」といった路線情報を表示することとしてもよい。
【００７６】
以上説明したように、本実施例２によれば、一つの情報掲示装置によって、利用者の進行方向および目的としている路線にあわせて路線情報を表示できるため、利用者は、不必要な路線情報に惑わされることなく、迅速かつ的確に路線情報を取得することができる。また、利用者が迅速に路線情報を取得することによって、情報掲示装置付近に多数の利用者が滞留することなく、駅構内の混雑の緩和を図ることができる。
【００７７】
さらに、駅の管理者は、複数の利用者に応じて、複数の情報掲示装置を設置するコストの増大を避けることもできる。
【００７８】
なお、本実施例２の説明では、複数の路線間の乗り継ぎが可能な駅構内に設置された情報掲示装置について説明したが、このような駅に限ることはない。具体的には、たとえば、情報掲示装置は、空港やその他施設など、利用者の行動および進行方向と、利用者の目的となる電車や飛行機や施設内サービスとが関連づけられる場合に、空港やその他施設に設置することとしてもよい。
【００７９】
また、情報掲示装置によって、利用者の行動および進行方向と、利用者の目的となる電車や飛行機や施設内サービスとが関連づけられる場合に、利用者の行動および進行方向に応じた視点によって異なる情報を表示することで、利用者は、自身の必要な情報を的確に取得することができる。
【実施例３】
【００８０】
つぎに、本発明の実施例３について説明する。本実施例３では、前述の実施例１および実施例２で説明した利用者の身長差によって異なる視点や利用者の進行方向によって異なる視点を利用する代わりに、情報掲示装置３００と利用者との距離によって異なる視点を利用して、駅構内に設置された情報掲示装置３００にそれぞれ異なる構内情報を表示する場合について説明する。
【００８１】
なお、実施例１にかかる案内情報を構内情報とすることで、情報掲示装置３００のハードウェア構成については図３、ディスプレイ３１２による表示の概要については図４とほぼ同様であるため説明を省略する。
【００８２】
（構内情報の表示の概要）
ここで、図９を用いて、本実施例３にかかる構内情報の表示の概要について説明する。図９は、本実施例３にかかる構内情報の表示の概要を示す説明図である。構内情報は、たとえば、複数の路線間の乗り継ぎが可能な駅構内における、各路線のホームへの誘導情報や、各路線の運行状況やダイヤ（時刻表）などを含む情報でもよい。
【００８３】
図９において、複数の路線間の乗り継ぎが可能な駅構内の天井に設置された情報掲示装置３００は、情報掲示装置３００から離れた利用者９０１と、情報掲示装置３００に接近した利用者９０２とに対して、それぞれ構内に関する概略情報９１１と、詳細情報９１２と、を表示している。また、駅構内における分岐地点９１０は、たとえば、図９においてそれぞれ左方向に山手線、奥行き方向（矢印の方向）に新幹線のホームがある地点である。
【００８４】
詳細は図１０を用いて説明するが、概略情報９１１は、たとえば、駅構内における各路線のホームの方向を示す情報でもよい。また、詳細は図１１を用いて説明するが、詳細情報９１２は、たとえば、駅構内における進行方向に存在する路線のダイヤに関する情報でもよい。
【００８５】
ここで、図１０を用いて、本実施例３にかかる概略情報９１１の概要について説明する。図１０は、本実施例３にかかる概略情報の概要について示す説明図である。
【００８６】
図１０において、情報掲示装置３００の表示内容１０００は、概略情報９１１であり、新幹線および山手線のホームの方向を矢印で示している。すなわち、情報掲示装置３００から離れた利用者９０１に対しては、遠方向けに少ない情報量かつ大きな表示とする構成である。
【００８７】
つづいて、図１１を用いて、本実施例３にかかる詳細情報９１２の概要について説明する。図１１は、本実施例３にかかる詳細情報の概要について示す説明図である。
【００８８】
図１１において、情報掲示装置３００の表示内容１１００は、詳細情報９１２であり、山手線のダイヤを示している。すなわち、情報掲示装置３００に接近した利用者９０２に対しては、表示を小さくして多くの情報量を表示とする構成である。
【００８９】
つまり、情報掲示装置３００から遠方の利用者９０１は、詳細な情報および小さな表示は必要性が低いかつ確認しづらく、構内の概要を把握するための情報が必要となる。一方、情報掲示装置３００に接近した利用者９０２は、構内の概要を把握するよりも、目的となるホームに近づいているため、目的となるホームの電車のダイヤなどの詳細な情報が必要となる。したがって、図９〜図１１に示したように、本実施例３では、情報掲示装置３００と利用者９０１，９０２との距離に応じて変動する視点に応じて、異なる構内情報として概略情報９１１あるいは詳細情報９１２を表示する構成としている。
【００９０】
このように、情報掲示装置３００と利用者９０１，９０２との距離によって変動する視点に応じて、それぞれ適した構内情報を表示することで、利用者９０１，９０２は、状況に応じた最適な情報を取得することができる。また、本実施例３のような構成とすることで、駅の管理者は、情報掲示装置３００と利用者９０１，９０２との距離に応じて、複数の情報掲示装置３００を設置するコストの増大を避けることもできる。
【００９１】
（情報掲示装置３００の処理の内容）
つぎに、図１２を用いて、本実施例３にかかる情報掲示装置３００の処理の内容について説明する。図１２は、本実施例３にかかる情報掲示装置における処理の内容を示すフローチャートである。図１２のフローチャートにおいて、まず、通信Ｉ／Ｆ３１３によって、図示しない外部サーバから、表示対象となる構内情報を取得したか否かを判断する（ステップＳ１２０１）。
【００９２】
ステップＳ１２０１において、構内情報を取得するのを待って、取得した場合（ステップＳ１２０１：Ｙｅｓ）は、映像Ｉ／Ｆ３１１の制御にしたがってディスプレイ３１２によって、ステップＳ１２０１において取得された構内情報のうち概略情報および詳細情報を振り分けて表示する（ステップＳ１２０２）。
【００９３】
つぎに、ＣＰＵ３０１によって、ステップＳ１２０１において取得された構内情報に更新があったか否かを判断する（ステップＳ１２０３）。具体的には、たとえば、更新の判断は、通信Ｉ／Ｆ３１３によって、図示しない外部サーバから、構内情報の更新を受け付けることによって判断してもよい。
【００９４】
なお、本実施例３では、概略情報９１１および詳細情報９１２を通信Ｉ／Ｆ３１３によって取得する構成としているが、磁気ディスク３０５や光ディスク３０７から読み込む構成としてもよい。
【００９５】
より具体的には、たとえば、概略情報９１１および詳細情報９１２は、あらかじめ記録された情報に基づいて、駅構内における各路線の誘導情報を概略情報９１１とし、現在時刻を取得することにより現在時刻以降のダイヤに関する情報を詳細情報９１２として表示することとしてもよい。この場合、詳細情報９１２は、たとえば、あらかじめ記録されたダイヤと異なる場合に、通信Ｉ／Ｆ３１３を介して取得できることとしてもよい。
【００９６】
ステップＳ１２０３において、更新があった場合（ステップＳ１２０３：Ｙｅｓ）は、ステップＳ１２０２に戻って処理を繰り返す。
【００９７】
また、ステップＳ１２０３において、更新がない場合（ステップＳ１２０３：Ｎｏ）は、ＣＰＵ３０１によって、ステップＳ１２０２における表示に関して表示終了時刻となったか否かを判断する（ステップＳ１２０４）。
【００９８】
表示終了時刻は、たとえば、ダイヤに関する情報であれば、実際の電車が発車した時刻でもよく、情報掲示装置３００の設置された駅を出発する電車がなくなった時刻などでもよい。
【００９９】
ステップＳ１２０４において、表示終了時刻とならない場合（ステップＳ１２０４：Ｎｏ）は、ステップＳ１２０３に戻って処理を繰り返す。
【０１００】
また、ステップＳ１２０４において、表示終了時刻となった場合（ステップＳ１２０４：Ｙｅｓ）は、そのまま一連の処理を終了する。
【０１０１】
なお、図１２のフローチャートでは説明を省略したが、構内情報は、各路線のホームへの誘導情報や、各路線の運行状況やダイヤに限ることはない。具体的には、たとえば、構内情報は、バス乗り場とバスの運行状況や、タクシー乗り場と混雑状況や、化粧室とその利用状況などであってもよい。
【０１０２】
以上説明したように、本実施例３によれば、一つの情報掲示装置によって、利用者と情報掲示装置との距離や利用者の駅構内における位置にあわせて構内情報を表示できるため、利用者は、不必要な構内情報に惑わされることなく、迅速かつ的確に構内情報を取得することができる。また、利用者が迅速に構内情報を取得することによって、情報掲示装置付近に多数の利用者が滞留することなく、駅構内の混雑の緩和を図ることができる。
【０１０３】
さらに、駅の管理者は、利用者の駅構内における位置に応じて、複数の情報掲示装置を設置するコストの増大を避けることもできる。
【０１０４】
なお、本実施例３の説明では、複数の路線間の乗り継ぎが可能な駅構内に設置された情報掲示装置について説明したが、このような駅に限ることはない。具体的には、たとえば、情報掲示装置は、空港やその他施設など、利用者の位置と、利用者の目的となる電車や飛行機や施設内サービスとが関連づけられる場合に、空港やその他施設に設置することとしてもよい。
【０１０５】
また、情報掲示装置によって、利用者の位置と、利用者の目的となる電車や飛行機や施設内サービスとが関連づけられる場合に、利用者の位置に応じた視点によって異なる情報を表示することで、利用者は、自身の必要な情報を的確に取得することができる。
【０１０６】
以上説明したように、この発明によれば、利用者の状況に応じた視点に対して適した情報を表示できるため、利用者は、確認したい情報の適切な取得を図ることができる。
【０１０７】
また、本実施例１〜３では、２段階の異なる情報の表示について説明したが、複数の導光板を組み合わせることにより、２段階よりも多い段階の表示を可能とする構成でもよい。多段階に表示をすることにより、利用者は、より的確な情報を確認することができる。
【０１０８】
なお、本実施の形態で説明した表示制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１０９】
【図１】本実施の形態にかかる表示制御装置の機能的構成の一例を示すブロック図である。
【図２】本実施の形態にかかる表示制御装置の処理の内容を示すフローチャートである。
【図３】本実施例１にかかる情報掲示装置のハードウェア構成の一例を示すブロック図である。
【図４】本実施例１にかかるディスプレイによる表示の概要を示す説明図である。
【図５】本実施例１にかかる案内情報の表示の概要を示す説明図である。
【図６】本実施例１にかかる情報掲示装置における処理の内容を示すフローチャートである。
【図７】本実施例２にかかる路線情報の表示の概要を示す説明図である。
【図８】本実施例２にかかる情報掲示装置における処理の内容を示すフローチャートである。
【図９】本実施例３にかかる構内情報の表示の概要を示す説明図である。
【図１０】本実施例３にかかる概略情報の概要について示す説明図である。
【図１１】本実施例３にかかる詳細情報の概要について示す説明図である。
【図１２】本実施例３にかかる情報掲示装置における処理の内容を示すフローチャートである。
【符号の説明】
【０１１０】
１００  表示制御装置
１０１  取得部
１０２  表示制御部
１０３  表示部
【図１】
2008020585.tif 000003
【図２】
2008020585.tif 000004
【図３】
2008020585.tif 000005
【図４】
2008020585.tif 000006
【図５】
2008020585.tif 000007
【図６】
2008020585.tif 000008
【図７】
2008020585.tif 000009
【図８】
2008020585.tif 000010
【図９】
2008020585.tif 000011
【図１０】
2008020585.tif 000012
【図１１】
2008020585.tif 000013
【図１２】
2008020585.tif 000014